(57)【特許請求の範囲】
【請求項１】
人や物品の検知対象に配設され、前記検知対象の識別情報を読み取り可能に記憶した情報媒体と、
出入り口の外寄りに設けられ、前記情報媒体から前記識別情報を読み取る第１の読取手段と、
出入り口の内寄りに設けられ、前記情報媒体から前記識別情報を読み取る第２の読取手段と、
前記各検知対象に対する識別情報が記憶され、前記第１の読取手段と第２の読取手段とによって前記識別情報が読み取られた順番に基づいて、前記出入り口に対して前記検知対象が出るのか入るのかを判定し、所定の時間内に人の識別情報と物品の識別情報とが読み取られた場合に、誰がどの物品を持ち出しあるいは返却したかを割り出す処理手段と、
を備え、
前記第１の読取手段と第２の読取手段とで同一の識別情報が読み取られることを対検知とし、
複数の検知対象のうち一部の検知対象のみが対検知された場合に、前記処理手段は、前記対検知された識別情報に基づいて前記判定を行うとともに、
前記処理手段は、前記割り出した人の入室、退室や物品の持ち出し、返却を時系列順に管理記録として記憶し、対検知されないために前記判定が行えない場合に、記憶された最新の前記管理記録に基づいて、例えば、人の最新の前記管理記録が入室の場合には退出と判定し、物品の最新の前記管理記録が返却の場合には貸出と判定する、というように、直前の行為を反転させた逆の行為であると判定する、
ことを特徴とする物品出入り管理システム。
【請求項２】
前記出入り口のドアに、該ドアの識別情報を読み取り可能に記憶した情報媒体が配設され、
前記第１の読取手段および前記第２の読取手段の少なくとも一方が前記ドアの情報媒体から前記識別情報を読み取った結果に基づいて、前記ドアの開閉を検知することで、人や物品が前記出入り口を通過したことを検知する人物検知手段を構成し、
前記処理手段は、前記人物検知手段によって人や物品の通過が検知されたにもかかわらず、前記第１の読取手段および第２の読取手段のいずれによっても人の識別情報が読み取られない場合に、出入り異常と判定する、
ことを特徴とする請求項１に記載の物品出入り管理システム。
【請求項３】
前記第１の読取手段および第２の読取手段の少なくとも一方を取り外して、前記出入り口内にある物品の識別情報を読み取る棚卸用読取手段とし、
前記棚卸用読取手段によって読み取った識別情報に基づいて、前記出入り口内にある物品の棚卸しを行う棚卸手段を備える、
ことを特徴とする請求項１または２のいずれか１項に記載の物品出入り管理システム。
【発明の詳細な説明】
【技術分野】
【０００１】
この発明は、管理エリアからの物品の持ち出しや返却を管理する物品出入り管理システムに関する。
【背景技術】
【０００２】
例えば、電力制御所においては、制御装置のシステム仕様書やデータ記憶媒体などの盗難、紛失、情報漏洩を防止するために、これらが資産管理対象とされ、持ち出し、返却の場合には、台帳に誰がいつ持ち出し、返却したかを記録している。また、ＩＣ（Ｉｎｔｅｇｒａｔｅｄ  Ｃｉｒｃｕｉｔ）タグを利用して、人や物品の入退室を管理する技術が知られている（例えば、特許文献１参照。）。この技術は、建物や部屋の出入り口を囲うドア枠にループ状のアンテナを設け、このアンテナをリード／ライトユニットに接続する。リード／ライトユニットは、アンテナから電磁界を出力して、ＩＣタグに記憶された識別情報を読み取り、この識別情報を基づいて、人や物品の出入りを管理するものである。
【先行技術文献】
【特許文献】
【０００３】
【特許文献１】特開平１１−０４１１５２号公報
【発明の概要】
【発明が解決しようとする課題】
【０００４】
上記のように資産管理対象の持ち出し、返却を台帳によって管理する場合、持ち出し、返却の度に台帳に記録しなければならず、煩雑で多大な労力と時間とを要するばかりでなく、記録漏れなどにより適正な管理が行われないおそれがあった。また、特許文献１に記載された技術では、出入りする人や物品を管理するだけであり、人や物品が建物や部屋に入るのか、あるいは、建物や部屋から出るのかまでは判別することができない。従って、この技術を資産管理に適用しようとしても、資産管理対象が持ち出されるのか、返却されるのかを判別して管理することができない。このため、例えば、持ち出しか返却かを宣言するスイッチを設け、出入りの都度このスイッチを押すことが行われるが、資産管理対象を両手で持っている場合など、スイッチ操作に手間がかかり、非効率的である。
【０００５】
そこでこの発明は、物品の持ち出し、返却を適正かつ効率的に管理することが可能な物品出入り管理システムを提供することを目的としている。
【課題を解決するための手段】
【０００６】
上記課題を解決するために、請求項１に記載の発明は、人や物品の検知対象に配設され、前記検知対象の識別情報を読み取り可能に記憶した情報媒体と、出入り口の外寄りに設けられ、前記情報媒体から前記識別情報を読み取る第１の読取手段と、出入り口の内寄りに設けられ、前記情報媒体から前記識別情報を読み取る第２の読取手段と、前記各検知対象に対する識別情報が記憶され、前記第１の読取手段と第２の読取手段とによって前記識別情報が読み取られた順番に基づいて、前記出入り口に対して前記検知対象が出るのか入るのかを判定し、所定の時間内に人の識別情報と物品の識別情報とが読み取られた場合に、誰がどの物品を持ち出しあるいは返却したかを割り出す処理手段と、を備え、前記第１の読取手段と第２の読取手段とで同一の識別情報が読み取られることを対検知とし、複数の検知対象のうち一部の検知対象のみが対検知された場合に、前記処理手段は、前記対検知された識別情報に基づいて前記判定を行うとともに、前記処理手段は、前記割り出した人の入室、退室や物品の持ち出し、返却を時系列順に管理記録として記憶し、対検知されないために前記判定が行えない場合に、記憶された最新の前記管理記録に基づいて、例えば、人の最新の前記管理記録が入室の場合には退出と判定し、物品の最新の前記管理記録が返却の場合には貸出と判定する、というように、直前の行為を反転させた逆の行為であると判定する、ことを特徴とする物品出入り管理システムである。
【０００７】
この発明によれば、例えば、情報媒体を配設した人と物品とが、出入り口の外側から内側に入ると、まず、第１の読取手段によって情報媒体の識別情報が読み取られ、次に、第２の読取手段によって情報媒体の識別情報が読み取られる。これにより、処理手段によって、読み取られた識別情報に対応した人と物品とが、出入り口から内側に入ったと判定され、かつ、読み取られた識別情報に対応した人が、読み取られた識別情報に対応する物品を返却したと、割り出される。
【０００９】
この発明によれば、例えば、情報媒体を配設した人と物品とが、出入り口の外側から内側に入り、人の識別情報のみが第１の読取手段と第２の読取手段とで読み取られ（対検知され）、物品の識別情報が第１の読取手段のみで読み取られた場合、処理手段は、人の識別情報の読み取り順に基づいて、誰がどの物品を持ち出しあるいは返却したかを割り出す。つまり、人と物品とが出入り口から内側に入ったと判定され、かつ、第１の読取手段と第２の読取手段とで読み取られた識別情報に対応した人が、第１の読取手段で読み取られた識別情報に対応する物品を返却したと、割り出される。
【００１１】
この発明によれば、例えば、人と物品とが出入り口から内側に入ったことが、管理記録として記憶され、その後、同一の人の識別情報が第１の読取手段のみによって読み取られ、同一の物品の識別情報が第２の読取手段のみによって読み取られたとする。この場合、対検知されていないため、読み取り順に基づいて、人や物品が出るのか入るのかを判定することができず、管理記録に基づいて判定される。つまり、最新の管理記録として、人と物品とが内側に入ったこと（入室）が記憶され、その後、人と物品の識別情報が読み取られているため、出入り口に対して人と物品が出る（退室）、と判定される。
【００１２】
請求項２の発明は、請求項１に記載の物品出入り管理システムにおいて、前記出入り口のドアに、該ドアの識別情報を読み取り可能に記憶した情報媒体が配設され、前記第１の読取手段および前記第２の読取手段の少なくとも一方が前記ドアの情報媒体から前記識別情報を読み取った結果に基づいて、前記ドアの開閉を検知することで、人や物品が前記出入り口を通過したことを検知する人物検知手段を構成し、前記処理手段は、前記人物検知手段によって人や物品の通過が検知されたにもかかわらず、前記第１の読取手段および第２の読取手段のいずれによっても人の識別情報が読み取られない場合に、出入り異常と判定する、ことを特徴とする。
【００１３】
この発明によれば、例えば、情報媒体を配設していない人が出入り口から内側に入った場合、まず、人物検知手段によって人の通過が検知されるが、第１の読取手段および第２の読取手段のいずれによっても人の識別情報が読み取られない。このため、処理手段によって、出入り異常と判定される。
【００１４】
請求項３の発明は、請求項１または２に記載の物品出入り管理システムにおいて、前記第１の読取手段および第２の読取手段の少なくとも一方を取り外して、前記出入り口内にある物品の識別情報を読み取る棚卸用読取手段とし、前記棚卸用読取手段によって読み取った識別情報に基づいて、前記出入り口内にある物品の棚卸しを行う棚卸手段を備える、ことを特徴とする。
【００１５】
この発明によれば、例えば、第１の読取手段を取り外して棚卸用読取手段とし、出入り口内にある物品の識別情報を棚卸用読取手段によって読み取ると、読み取った識別情報に基づいて、棚卸手段によって物品の棚卸しが行われる。
【発明の効果】
【００１６】
請求項１に記載の発明によれば、人や物品が出入り口を通過するだけで、人や物品が出るのか入るのかが判定され、さらに、所定の時間内（ほぼ同時）に人と物品とが検知された場合には、誰がどの物品を持ち出しあるいは返却したかが割り出される。このため、資産管理対象である物品の持ち出し、返却を適正、確実に管理することが可能となり、しかも、人が台帳に記録したり、持ち出しか返却かを宣言するスイッチを押したりする必要がなく、効率的な管理が可能となる。
【００１７】
また、人や物品の姿勢や情報媒体の位置状態などによって、一部の情報媒体が第１の読取手段か第２の読取手段の一方でしか読み取れなかった場合であっても、誰がどの物品を持ち出しあるいは返却したかが割り出される。このため、物品の持ち出し、返却をより適正、確実に管理することが可能となる。
【００１８】
さらに、人や物品の姿勢や情報媒体の位置状態などによって、第１の読取手段と第２の読取手段とで同一の人や物品を検知できなかった場合であっても、人や物品が出るのか入るのかが判定される。このため、物品の持ち出し、返却をより適正、確実に管理することが可能となる。
【００１９】
請求項２に記載の発明によれば、情報媒体を有さない人が出入り口を通過した場合などには、出入り異常と判定されるため、許容されない人の出入りなどを防止して、物品をより適正、確実に管理することが可能となる。
【００２０】
請求項３に記載の発明によれば、読取手段を取り外して、出入り口内にある物品の識別情報を読み取るだけで、自動的に物品の棚卸しが行われるため、容易かつ適正に棚卸しを行うことが可能となる。しかも、第１の読取手段や第２の読取手段を棚卸用読取手段として活用するため、既存設備を有効利用して設備費用を低減することが可能となる。
【図面の簡単な説明】
【００２１】
【図１】この発明の実施の形態１に係る物品出入り管理システムを示す概略構成図である。
【図２】図１のシステムの管理コンピュータを示す概略構成ブロック図である。
【図３】図２の管理コンピュータの履歴データベースのデータ構成図である。
【図４】図２の管理コンピュータの監視タスクの処理タイミングなどを示すタイミングチャートである。
【図５】図２の管理コンピュータの監視タスクのフローチャートである。
【図６】図５の監視タスクで、両リーダーで同一の識別情報が読み取られない場合の処理例を示す図である。
【図７】図５の監視タスクで、両リーダーで同一人または同一物品の一方の識別情報のみが読み取られた場合の処理例を示す図である。
【図８】図５の監視タスクで、両リーダーで同一人および同一物品の識別情報が読み取られた場合の処理例を示す図である。
【図９】この発明の実施の形態２におけるリーダーの配設状態を示す平面図である。
【図１０】この発明の実施の形態２におけるリーダーの別の配設状態を示す平面図である。
【発明を実施するための形態】
【００２２】
以下、この発明を図示の実施の形態に基づいて説明する。
【００２３】
（実施の形態１）
図１は、この実施の形態に係る物品出入り管理システム１を示す概略構成図である。この物品出入り管理システム１は、物品の持ち出しや返却を管理するシステムであり、主として、ＩＣタグ（情報媒体）２、３と、外側リーダー（第１の読取手段）４と、内側リーダー（第２の読取手段）５と、ドアタグ（人物検知手段）６と、管理コンピュータ（処理手段、棚卸手段）７とを備える。ここで、物品Ｐが、電力制御所の資産管理室（制御セキュリティエリア）Ｒ内に資産管理対象として収容、保管されている場合について説明し、物品Ｐとして、システム仕様書やデータ記憶媒体、メンテナンス用パソコンなどが該当する。
【００２４】
ＩＣタグ２、３は、人Ｍや物品Ｐの検知対象に配設され、人Ｍや物品Ｐに固有の識別情報を読み取り可能に記憶した情報媒体である。すなわち、半導体集積回路と小型アンテナで構成され、半導体集積回路に記憶された識別情報を無線によってＩＣリーダーで読み取れるものである。そして、資産管理室Ｒへの入室が許可されている人Ｍには、それぞれ固有の識別情報を記憶した人用ＩＣタグ２が配布され、管理対象であるすべての物品Ｐには、それぞれ固有の識別情報を記憶した物用ＩＣタグ３が付けられている。
【００２５】
リーダー４、５は、ＩＣタグ２、３に電波を送信して電力を発生させるとともに、ＩＣタグ２、３からの電波信号を受信して、ＩＣタグ２、３に記憶された識別情報を読み取るＩＣリーダーである。そして、外側リーダー４は、資産管理室Ｒの出入り口Ｒ１の外寄りに配設され、内側リーダー５は、出入り口Ｒ１の内寄りに配設されている。すなわち、資産管理室Ｒ内で出入り口Ｒ１の直近に外側リーダー４が配設され、この外側リーダー４よりも資産管理室Ｒ内側に内側リーダー５が配設され、かつ、ともに、その検知方向が出入り口Ｒ１に対してほぼ平行になるように配設されている。そして、外から資産管理室Ｒに入る場合には、ＩＣタグ２、３からの信号を外側リーダー４で受信してから内側リーダー５で受信し、資産管理室Ｒから外に出る場合には、ＩＣタグ２、３からの信号を内側リーダー５で受信してから外側リーダー４で受信するように配設されている。
【００２６】
また、リーダー４、５は、管理コンピュータ７と通信可能に接続され、リーダー４、５で読み取られた識別情報が逐次・リアルタイムに管理コンピュータ７に送信されるようになっている。このようなリーダー４、５は、パイプで構成された枠体や壁などに、着脱自在に取り付けられている。
【００２７】
ドアタグ６は、出入り口Ｒ１を開閉するドアＤの識別情報を読み取り可能に記憶したＩＣタグ（情報媒体）であり、ドアＤの資産管理室Ｒ外側（室外側）の面に配設されている。そして、ドアＤを開けると、ドアタグ６からの信号が外側リーダー４で受信されてから内側リーダー５で受信され、ドアＤを閉めると、ドアタグ６からの信号が内側リーダー５で受信されてから外側リーダー４で受信される。これにより、ドアＤの開閉、つまり人Ｍや物品Ｐが出入り口Ｒ１を通過したことが検知、認識されるようになっており、ドアタグ６とリーダー４、５とによって、人物検知手段が構成されている。
【００２８】
管理コンピュータ７は、図２に示すように、主として、入力部７１と、表示部７２と、通信部７３と、ＩＤデータベース７４と、履歴データベース７５と、棚卸データベース７６と、監視タスク（処理手段）７７と、棚卸タスク（棚卸手段）７８と、これらを制御などする中央制御部７９とを備えている。
【００２９】
入力部７１は、後述する監視タスク７７と棚卸タスク７８との起動切り替えなどを指令、入力するインターフェイスであり、キーボードやマウスなどで構成されている。表示部７２は、後述する履歴データベース７５内の管理記録や警報などを表示するディスプレイである。通信部７３は、リーダー４、５や後述する管理センタなどと通信するためのインターフェイスである。
【００３０】
ＩＤデータベース７４は、各検知対象の識別情報を記憶したデータベースである。すなわち、資産管理室Ｒへの入室が許可されている各人Ｍの所属部署と氏名に対応して、その人Ｍに割り当てられた固有の識別情報が記憶され、また、管理対象の各物品Ｐの名称、型式などに対応して、その物品Ｐに割り当てられた固有の識別情報が記憶されている。
【００３１】
履歴データベース７５は、後述するようにして監視タスク７７で割り出された結果を、管理記録として記憶するデータベースである。すなわち、図３に示すように、時系列順に、いつ、どの部署の、誰が、入室したかあるいは退室したかが記憶され、さらに、物品Ｐを持ち出しあるいは返却した場合には、その旨が記憶されている。
【００３２】
棚卸データベース７６は、後述するようにして棚卸タスク７８で行われた棚卸しの結果を記憶するデータベースである。すなわち、いつ、誰が、どの資産管理室Ｒを棚卸し、どのような物品Ｐがいくつあるか（後述する在庫リスト）など、が記憶されている。
【００３３】
監視タスク７７は、リーダー４、５で読み取られた識別情報に基づいて、人Ｍや物品Ｐの出入りを監視、管理するタスク・プログラムである。ここで、まず、リーダー４、５による読取タイミングや、監視タスク７７による解析タイミングなどについて説明する。
【００３４】
図４中符号Ｔ１は、解析対象を判定するための解析対象判定時間（タイムラグ）であり、この解析対象判定時間Ｔ１内に次の識別情報が読み取られた場合（所定の時間内に複数の識別情報が読み取られた場合）には、ひとつの塊として処理する。そして、通常の通過速度で、例えば、人ＭがドアＤを開けて物品Ｐと一緒に資産管理室Ｒに入った場合に、ドアＤと人Ｍと物品Ｐとの各識別情報の読取間隔が、解析対象判定時間Ｔ１内になるように解析対象判定時間Ｔ１が設定されている。また、このような塊の識別情報の最後を読み取った時点から、解析処理を行うまでの時間が、解析待ち時間（タイムインターバル）Ｔ２として設定されている。さらに、先の解析処理が終了してから、次の解析処理を行うまでの時間が解析後時間（タイムカウント）Ｔ３として設定されている。つまり、例えば、人ＭがドアＤを開けて物品Ｐと一緒に資産管理室Ｒに入った場合に、解析対象判定時間Ｔ１内に読み取られたドアＤと人Ｍと物品Ｐの識別情報をひとつの解析対象とし、最後の識別情報の読み取りから解析待ち時間Ｔ２後に監視タスク７７による処理を行い、その解析後時間Ｔ３後に次の解析を行うものである。
【００３５】
また、ドアＤの開閉は、外側リーダー４による識別情報の読み取りのみで判定する。すなわち、ドアＤが閉じた状態から、外側リーダー４でドアＤの識別情報を読み取ると、ドアＤが開いたと判定する。その後、ドアＤが開いた状態から、外側リーダー４でドアＤの識別情報を読み取ると、ドアＤが閉じたと判定し、ドアＤの識別情報を読み取る度に、ドアＤの開閉状態を反転するものである。また、人Ｍや物品Ｐが出入り口Ｒ１を出入りする場合には、ドアＤが必ず開閉されるため、監視タスク７７による処理が行われる場合には、解析対象にドアＤの識別情報が必ず含まれている。
【００３６】
このような前提の下、監視タスク７７は、まず、図５に示すように、読み取った識別情報とＩＤデータベース７４とに基づいて、人Ｍの識別情報が読み取られたか否かを判断し（ステップＳ１）、読み取られなかった場合には、警報を出力する（ステップＳ２）。すなわち、ドアＤが開閉されたにもかかわらず（人Ｍや物品Ｐの通過が検知されたにもかかわらず）、人Ｍの識別情報が読み取られなかった場合に、出入り異常と判定する。このようなケースとして、資産管理室Ｒへの入室が許可されていない、人用ＩＣタグ２を有さない人Ｍが出入り口Ｒ１を出入りする場合が該当する。また、警報出力として、表示部７２に警報を表示するとともに、予め設定された外部の管理センタなどに通信部７３を介して警報を通知する。
【００３７】
一方、人Ｍの識別情報が読み取られた場合には、読み取った識別情報とＩＤデータベース７４とに基づいて、同一の人Ｍまたは物品Ｐの識別情報が、外側リーダー４および内側リーダー５で読み取られたか否かを判断する（ステップＳ３）。つまり、図６に示すように、リーダー４、５によって同一の識別情報が読み取られないために、人Ｍや物品Ｐが資産管理室Ｒに入るのか出るのか判定できないケース、に該当するか否かを判断する。そして、判定できないケースに該当する場合（ステップＳ３で「Ｎ」の場合）には、履歴データベース７５に記憶された当該人Ｍや物品Ｐの直近・最新の管理記録に基づいて、入るのか出るのかを判定する（ステップＳ４）。
【００３８】
具体的には、図６の（ａ）ケースのように、外側リーダー４でのみ人Ｍと物品Ｐの識別情報が読み取られた場合、内側リーダー５でも同一の人Ｍと物品Ｐの識別情報が読み取られたと読取判定する。そして、当該人Ｍの直近の管理記録（直前記録）が「入室」の場合、今回の出入りでは、「退出」と判定する。同様に、当該物品Ｐの直近の管理記録が「返却」の場合、今回の出入りでは、「貸出」と判定する。このように、今回の出入りは、直前の行為（入室・退室および貸出・返却）を反転させた逆の行為（退室・入室および返却・貸出）であると、判定する。
【００３９】
一方、入るのか出るのか判定できる場合（ステップＳ３で「Ｙ」の場合）、物品Ｐの識別情報が読み取られたか否かを判断する（ステップＳ５）。そして、読み取られた場合には、同一の人Ｍおよび物品Ｐの識別情報が、外側リーダー４および内側リーダー５で読み取られたか否か（対検知された否か）を判断する（ステップＳ６）。すなわち、上記のようなひと塊の識別情報（処理上ほぼ同時とみなされる所定の時間内に読み取られた識別情報）において、同一人Ｍの識別情報が両リーダー４、５で読み取られ、かつ、同一物品Ｐの識別情報も両リーダー４、５で読み取られたか否かを判定する。このことは、人Ｍと物品Ｐとが出入りした場合に、すべての人Ｍと物品Ｐの識別情報が両リーダー４、５で正しく読み取られたか否かの判断に該当する。
【００４０】
そして、図７に示すように、人Ｍまたは物品Ｐの一方のみが両リーダー４、５でその識別情報を読み取られた場合（ステップＳ６で「Ｎ」の場合）、両リーダー４、５で読み取られた人Ｍまたは物品Ｐの出入りにあわせて、入るのか出るのかを判定する（ステップＳ７）。例えば、図７の（ａ）ケースのように、同一人Ｍの識別情報が両リーダー４、５で読み取られ、物品Ｐの識別情報が外側リーダー４でのみ読み取られた場合、内側リーダー５でも物品Ｐの識別情報が読み取られたと読取判定する。その結果、当該人Ｍと物品Ｐが入室したと判定する。
【００４１】
一方、物品Ｐの識別情報が読み取られなかった場合（ステップＳ５で「Ｎ」の場合で、人Ｍのみが出入りする場合）および、同一人Ｍおよび同一物品Ｐの識別情報が両リーダー４、５で読み取られた場合（ステップＳ６で「Ｙ」の場合）には、識別情報が読み取られた順番に基づいて、出るのか入るのかを判定する（ステップＳ８）。すなわち、この場合には、図８に示すように、人Ｍと物品Ｐの識別情報が両リーダー４、５で正しく読み取られているため、その読取結果がそのまま読取判定となり、読み取り順に基づいて、出るのか入るのかを判定する。例えば図８のケースのように、先に外側リーダー４で人Ｍと物品Ｐの識別情報が読み取られ、その後、内側リーダー５で人Ｍと物品Ｐの識別情報が読み取られた場合、人Ｍと物品Ｐが入室したと判定する。これとは逆に、先に内側リーダー５で人Ｍと物品Ｐの識別情報が読み取られ、その後、外側リーダー４で人Ｍと物品Ｐの識別情報が読み取られた場合、人Ｍと物品Ｐが退室したと判定する。
【００４２】
次に、上記の出入りの判定結果と、読み取られた識別情報に基づいて、誰がどの物品Ｐを持ち出しあるいは返却したかなどを割り出す（ステップＳ９）。すなわち、人Ｍと物品Ｐの識別情報が読み取られた場合、その識別情報とＩＤデータベース７４とに基づいて、人Ｍの所属部署と氏名と、物品Ｐの名称、型式を割り出し、出入りの判定結果に基づいて、誰がどのような物品Ｐを持ち出し（貸し出し）あるいは返却したかを割り出す。ここで、物品Ｐとともに入室した場合には、「返却」と割り出し、物品Ｐとともに退室した場合には、「持ち出し」と割り出する。また、人Ｍのみが読み取られた場合、人Ｍの所属部署と氏名を割り出し、出入りの判定結果に基づいて、誰が入室したかあるいは退室したかを割り出す。
【００４３】
そして、その割出結果をＩＤデータベース７４に記憶する（ステップＳ１０）ものである。すなわち、上記のように（図３参照）、時系列順に、いつ、どの部署の、誰が、入室したかあるいは退室したか、さらに、該当する場合には、どのような物品Ｐを持ち出しあるいは返却したかを記憶する。
【００４４】
棚卸タスク７８は、リーダー４、５の少なくとも一方を取り外して、出入り口Ｒ１内（資産管理室Ｒ内）にある物品Ｐの識別情報を読み取る棚卸用リーダー（棚卸用読取手段）４、５とした場合に、棚卸用リーダー４、５で読み取った識別情報に基づいて、資産管理室Ｒ内の棚卸しを行うタスクである。
【００４５】
具体的には、棚卸用リーダー４、５で読み取られた識別情報とＩＤデータベース７４とに基づいて、どのような（何の名称、型式などの）物品Ｐが資産管理室Ｒ内にあるかを割り出し、その物品Ｐがいくつあるかをカウントして、在庫リストを作成する。また、資産管理室Ｒ内で保管、管理すべき物品Ｐの名称、型式などとその個数とを示す管理対象リストが予め記憶され、在庫リストと管理対象リストとを比較して、現在資産管理室Ｒ内にない貸し出し中の物品Ｐを割り出すものである。また、入力部７１で入力された棚卸担当者の氏名や棚卸日、資産管理室Ｒの名称とともに、在庫リストと割り出し結果を棚卸データベース７６に記憶する。
【００４６】
次に、このような構成の物品出入り管理システム１の作用について説明する。
【００４７】
まず、両リーダー４、５が上記のように取り付けられ、管理コンピュータ７の入力部７１で監視タスク７７の起動が選択された状態で、人Ｍや物品Ｐが資産管理室Ｒに出入りすると、両リーダー４、５によってドアＤおよびＩＣタグ２、３の識別情報が読み取られる。そして、上記のようなタイミングで監視タスク７７が起動され、読み取られた識別情報に基づいて、上記のようにして、人Ｍや物品Ｐが資産管理室Ｒに入るのか出るのかが判定され、さらに、誰がどのような物品Ｐを持ち出しあるいは返却したかが割り出される。そして、その判定、割出結果がＩＤデータベース７４に記憶され、このような処理が、人Ｍや物品Ｐの出入りの度に行われる。また、資産管理室Ｒへの入室が許可されていない人Ｍが資産管理室Ｒに入った場合などには、表示部７２に警報が表示され、外部の管理センタなどに警報が通知される。
【００４８】
また、半年に一度などの棚卸し時には、少なくとも一方のリーダー４、５を取り外して棚卸用リーダー４、５とし、管理コンピュータ７の入力部７１で棚卸タスク７８を起動させる。そして、資産管理室Ｒ内にあるすべての物品Ｐの物用ＩＣタグ３から、識別情報を棚卸用リーダー４、５で順次読み取っていく。この読み取りを受けて棚卸タスク７８によって、上記のようにして、在庫リストが作成され、さらに、現在資産管理室Ｒ内にない貸し出し中の物品Ｐが割り出される。その後、棚卸担当者の氏名や棚卸日、資産管理室Ｒの名称とともに、在庫リストと割り出し結果が、棚卸データベース７６に記憶される。そして、棚卸しが終了した後には、リーダー４、５を再び取り付け、監視タスク７７を起動可能状態とし、上記と同様にして、人Ｍや物品Ｐの出入りを監視、管理するものである。
【００４９】
以上のように、この物品出入り管理システム１によれば、人Ｍや物品Ｐが出入り口Ｒ１を通過するだけで、人Ｍや物品Ｐが資産管理室Ｒを出るのか入るのかが判定され、さらに、人Ｍと物品Ｐが一緒に（処理上ほぼ同時に）出入りした場合には、誰がどの物品Ｐを持ち出しあるいは返却したかが割り出される。このため、資産管理対象である物品Ｐの持ち出し、返却や人Ｍの出入りを、適正、確実に管理することが可能となる。しかも、人が台帳に記録したり、持ち出しか返却かを宣言するスイッチを押したりする必要がなく、効率的な管理が可能となる。
【００５０】
しかも、人Ｍや物品Ｐの姿勢やＩＣタグ２、３の位置状態などによって、一部のＩＣタグ２、３から識別情報を正しく読み取れない場合であっても、誰がどの物品Ｐを持ち出しあるいは返却したか、あるいは誰が出入りしたかが割り出される。このため、物品Ｐの持ち出し、返却や人Ｍの出入りを、漏れなく、より適正、確実に管理することが可能となる。ところで、履歴データベース７５を備えるため、人Ｍや物品Ｐが検知されたことのみで、直近・最新の管理記録に基づいて出入りを判定することも可能である。つまり、ＩＣリーダーを１つだけ配設し、直前の行為を反転させるだけで出入りを判定することも可能であるが、反転のみで判定すると修正、校正がされなくなり、誤判定を起こす可能性がある。これに対して、この物品出入り管理システム１では、出入りの度に両リーダー４、５の読取結果に基づいて判定を行うため、自己修正、校正が行われ、恒常的に適正な判定結果を得ることが可能となる。
【００５１】
また、資産管理室Ｒへの入室が許可されていない人Ｍが資産管理室Ｒに入った場合などには、警報が出力されるため、許容されない人Ｍの出入りなどを防止して、物品Ｐをより適正、確実に管理することが可能となる。さらに、リーダー４、５を取り外して、資産管理室Ｒ内にある物品Ｐの識別情報を読み取るだけで、自動的に物品Ｐの棚卸しが行われるため、容易かつ適正に棚卸しを行うことが可能となる。しかも、リーダー４、５を棚卸用リーダーとして活用するため、既存設備を有効利用して設備費用を低減することが可能となる。
【００５２】
（実施の形態２）
この実施の形態では、リーダー４、５の配設状態が実施の形態１と異なり、実施の形態１と同等の構成については、同一符号を付することで、その説明を省略する。
【００５３】
すなわち、実施の形態１のようなリーダー４、５の配設状態では、リーダー４、５が開放された空間に配設されているため、リーダー４、５の近くにある検知不要な（例えば、資産管理室Ｒ内の物品Ｐの）ＩＣタグの情報を読み取る（誤認する）おそれがある。また、複数の物品Ｐを持ち出したりする場合に、一部の物品Ｐの物用ＩＣタグ３の識別情報が読み取れないおそれがある。
【００５４】
これに対して、この実施の形態では、図９に示すように、出入り口Ｒ１から資産管理室Ｒ側の小空間を検知エリアＲ２とし、この検知エリアＲ２の３面が、電磁波を遮へいする遮へいシート４１〜４３で覆われている。そして、実施の形態１と同様に、ドアＤを開けた状態（図示の状態）で、ドアＤと対向する第３の遮へいシート４３の検知エリアＲ２側に、リーダー４、５が配設されている。また、出入り口Ｒ１と対向する第１の遮へいシート４１が開閉可能で、この第１の遮へいシート４１を開けることで、人Ｍや物品Ｐが出入りできるようになっている。
【００５５】
このようなリーダー４、５の配設によれば、リーダー４、５およびＩＣタグ２、３、６からの電磁波が、遮へいシート４１〜４３によって検知エリアＲ２外に漏れず、また、検知エリアＲ２外からの不要な電磁波が検知エリアＲ２内に入り込むことがない。さらには、電磁波が検知エリアＲ２内で回り込んで、互いに確実に送受信される。このため、不要な電磁波を読み取ること（誤認）や、受信漏れなどがなく、より確実、正確に識別情報を読み取って、物品Ｐの持ち出し、返却をより適正、確実に管理することが可能となる。
【００５６】
また、図１０に示すように、外側リーダー４を第３の遮へいシート４３に配設し、内側リーダー５を第１の遮へいシート４１に配設して、外側リーダー４と内側リーダー５とを離してもよい。これにより、出入りに対してリーダー４、５で検知すべき順番が乱れること、例えば、入室にもかかわらず識別情報が内側リーダー５で読み取られた後に外側リーダー４で読み取られることがなくなり、物品Ｐの持ち出し、返却をより適正、確実に管理することが可能となる。さらには、出入り口Ｒ１や検知エリアＲ２の大きさ、通路の配置などに応じて、リーダー４、５の角度、向きを調整することで、より確実、正確に識別情報を読み取ることが可能となる。
【００５７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ドアタグ６とリーダー４、５とによって人物検知手段を構成しているが、人や物品の接近、通過を検知する赤外線センサや超音波センサなどで、人物検知手段を構成してもよい。また、ひとりの人Ｍとひとつの物品Ｐが出入りする場合について、主として説明したが、複数人や複数物品に対しても、同様にして判定、割り出しが行われる。例えば、ひとりの人Ｍが複数の物品Ｐを持って資産管理室Ｒに入室し、一部の物品Ｐの物用ＩＣタグ３から識別情報を正しく読み取れない場合であっても、その一部の物品Ｐの管理記録や他の物品Ｐの読取結果などに基づいて、その一部の物品Ｐが持ち出されたのか、あるいは返却されたのかが割り出される。
【００５８】
さらに、直前・最後の読取時から解析対象判定時間Ｔ１内に次の識別情報が読み取られた場合を、所定の時間内に複数の識別情報が読み取られた場合とし、ひとつの塊として処理しているが、最先・最初の読取時から所定の時間内に読み取られた複数の識別情報を、ひとつの塊として処理するようにしてもよい。また、資産管理室Ｒに対する人Ｍや物品Ｐの出入りを管理する場合について説明したが、作業現場やセキュリティエリアなどにおける人Ｍや物品Ｐの出入りにも適用することができる。
【符号の説明】
【００５９】
１        物品出入り管理システム
２、３    ＩＣタグ（情報媒体）
４        外側リーダー（第１の読取手段）
５        内側リーダー（第２の読取手段）
６        ドアタグ（人物検知手段）
７        管理コンピュータ（処理手段、棚卸手段）
７７      監視タスク（処理手段）
７８      棚卸タスク（棚卸手段）
Ｍ        人
Ｐ        物品（資産管理対象）
Ｒ        資産管理室
Ｒ１      出入り口
【図１】
0005405402.tif 000002
【図２】
0005405402.tif 000003
【図３】
0005405402.tif 000004
【図４】
0005405402.tif 000005
【図５】
0005405402.tif 000006
【図６】
0005405402.tif 000007
【図７】
0005405402.tif 000008
【図８】
0005405402.tif 000009
【図９】
0005405402.tif 000010
【図１０】
0005405402.tif 000011